(57)【要約】      （修正有）【課題】簡単にしっかりと接続でき、見た目にも美しく、また別途工具を用いることなく取り付けることができる物干しラック用接続部材、また、この接続部材を用いた、組み立てが簡単な物干しラックを提供する。【解決手段】物干しラック用接続部材は、接続部１と、パイプ部材３３と、弾性部材３１と、を含む。弾性部材は、パイプ部材３３の空洞内に設けられ、パイプ部材３３と接続部１との固定に用いられる。また、本考案の物干しラックは、横竿と支持パイプとを含み、横竿と支持パイプとの接続箇所には上述の接続部材が設けられる。本考案の接続部材は、簡単にしっかりと接続でき、見た目にも美しく、また別途工具を用いることなく取り付けることができるため、大幅に取り付け効率を向上させることができる。８０％以上取り付け効率が向上する。【選択図】図１
0003213985.tif 000002
【実用新案登録請求の範囲】
【請求項１】
接続部と、パイプ部材と、弾性部材と、を含み、
前記弾性部材は、前記パイプ部材の空洞内に設けられ、前記パイプ部材と前記接続部との固定に用いられる、ことを特徴とする、
物干しラック用接続部材。
【請求項２】
前記弾性部材は、弾性部と、アーチ部と、第１直線部と、突起部と、第２直線部と、を含み、
前記弾性部と、前記アーチ部と、前記第１直線部と、前記突起部と、前記第２直線部と、は順に接続される、ことを特徴とする、
請求項１に記載の物干しラック用接続部材。
【請求項３】
前記第１直線部と、前記突起部と、前記第２直線部と、は一つのライン上にあり、前記突起部は円弧形であり、前記第１直線部と前記突起部との接続箇所は円弧状である、ことを特徴とする、
請求項２に記載の物干しラック用接続部材。
【請求項４】
前記パイプ部材の側壁には、前記弾性部材の前記突起部を収容するための貫通孔が設けられている、ことを特徴とする、
請求項２に記載の物干しラック用接続部材。
【請求項５】
前記接続部は第１部材と第２部材とを含み、前記第１部材と前記第２部材とは垂直に連通し、前記第１部材と前記第２部材とはいずれもパイプ状であり、前記第２部材の側面には貫通孔が設けられる、ことを特徴とする、
請求項１に記載の物干しラック用接続部材。
【請求項６】
前記第１部材には、第１凹溝が前記第１部材の軸方向に沿って前記第１部材の両側に対称に設けられ、両側の前記第１凹溝の間には、第３凹溝が前記第１部材の円周方向に沿って前記第１部材の一端に設けられる、ことを特徴とする、
請求項５に記載の物干しラック用接続部材。
【請求項７】
前記第２部材には、第２凹溝が前記第２部材の軸方向に沿って前記第２部材の両側に対称に設けられ、両側の前記第２凹溝の間には、第４凹溝が前記第２部材の円周方向に沿って前記第２部材の一端に設けられ、かつ、前記第４凹溝は前記第３凹溝と同じ側の前記第２部材の側面に位置する、ことを特徴とする、
請求項６に記載の物干しラック用接続部材。
【請求項８】
前記第２凹溝と前記第１凹溝とは円弧を描いて連通し、
前記第１凹溝は各片側に２つずつ設けられ、
前記第２凹溝は各片側に２つずつ設けられ、
前記第３凹溝と前記第４凹溝とはそれぞれ４つずつ設けられる、ことを特徴とする、
請求項７に記載の物干しラック用接続部材。
【請求項９】
横竿と支持パイプとを含み、前記横竿と前記支持パイプの接続箇所には請求項１から５のいずれか１項に記載の接続部材が設けられる、ことを特徴とする、
物干しラック。
【請求項１０】
前記支持パイプは上支持パイプと下支持パイプとを含み、前記上支持パイプの下端には、同じ側の２本の前記支持パイプをヒンジ接続するための回転ベースが設けられ、
前記回転ベースと前記上支持パイプとは前記弾性部材により固定され、
前記回転ベースと前記下支持パイプとは前記弾性部材により固定される、あるいは、直接スリーブ接続される、ことを特徴とする、
請求項９に記載の物干しラック。
【考案の詳細な説明】
【技術分野】
【０００１】
本考案は、物干しラックの改善、特に接続部材の改善に関する。具体的には、本考案は物干しラック用接続部材および物干しラックに関する。
【背景技術】
【０００２】
現在のところ、物干しラックは、購入後にまず組み立てる必要がある。一般的に、物干しラックは組み立て時に多くの接続部材を使用する。既存の接続部材は、多くの場合、工具などを使用しないと取り付けられず、比較的強い力を要し、力が弱い人や主婦などにとっては、一定の難度があり、取り付け効率が悪い。
【考案の概要】
【考案が解決しようとする課題】
【０００３】
本考案が解決しようとする技術的課題は、上述の不足点に鑑み、簡単にしっかりと接続でき、見た目にも美しく、また別途工具を用いることなく取り付けることができる物干しラック用接続部材を提供することにある。また、この接続部材を用いた、組み立てが簡単な物干しラックを提供することにある。
【課題を解決するための手段】
【０００４】
本考案が上述の技術的課題を解決するために採用した手段は以下のとおりである。物干しラック用接続部材は、接続部と、パイプ部材と、弾性部材と、を含む。弾性部材は、パイプ部材の空洞内に設けられ、パイプ部材と接続部との固定に用いられる。
【０００５】
上記解決手段の更なる改善としては、以下のとおりである。
弾性部材は、弾性部と、アーチ部と、第１直線部と、突起部と、第２直線部と、を含む。弾性部と、アーチ部と、第１直線部と、突起部と、第２直線部とは順に接続される。
【０００６】
第１直線部と、突起部と、第２直線部は一つのライン上にあり、突起部は円弧形であり、第１直線部と突起部との接続箇所は円弧状である。
パイプ部材の側壁には、弾性部材の突起部を収容するための貫通孔が設けられている。
【０００７】
接続部は第１部材と第２部材を含み、第１部材と第２部材とは垂直に連通し、第１部材と第２部材とはいずれもパイプ状であり、第２部材の側面には貫通孔が設けられる。
第１部材には、第１凹溝が、第１部材の軸方向に沿って第１部材の両側に対称に設けられる。両側の第１凹溝の間には、第３凹溝が、第１部材の円周方向に沿って第１部材の一端に設けられる。
【０００８】
第２部材には、第２凹溝が、第２部材の軸方向に沿って第２部材の両側に対称に設けられる。両側の第２凹溝の間には、第４凹溝が、第２部材の円周方向に沿って第２部材の一端に設けられる。また、第４凹溝は、第３凹溝と同じ側の第２部材の側面に位置する。
【０００９】
第２凹溝と第１凹溝とは円弧を描いて連通し、
第１凹溝は各片側に２つずつ、
第２凹溝は各片側に２つずつ、
第３凹溝と第４凹溝とはそれぞれ４つずつ、設けられる。
【００１０】
物干しラックは、横竿と支持パイプとを含む。横竿と支持パイプとの接続箇所には、上述の接続部材が設けられる。
支持パイプは上支持パイプと下支持パイプとを含み、上支持パイプの下端には、同じ側の２本の支持パイプをヒンジ接続するための回転ベースが設けられ、
回転ベースと上支持パイプとは弾性部材により固定され、
回転ベースと下支持パイプとは弾性部材により固定される、あるいは、直接スリーブ接続される。
【考案の効果】
【００１１】
本考案が採用する以上の解決手段は以下の特長を有する。簡単にしっかりと接続でき、見た目にも美しく、また、別途工具を用いることなく取り付けることができるため、大幅に取り付け効率を向上させることができる。８０％以上取り付け効率が向上する。
【図面の簡単な説明】
【００１２】
以下に、図面と実施例をあわせて、本考案について更に説明する。
【図１】本考案の実施例１に係る接続部材の構造模式図である。
【図２】本考案の実施例１に係る接続部の構造模式図である。
【図３】本考案の実施例１に係る接続部の別の構造模式図である。
【図４】本考案の実施例１に係る弾性部材の構造模式図である。
【図５】本考案の実施例２に係る物干しラックの構造模式図である。
【考案を実施するための形態】
【００１３】
（実施例１）
図１に示すように、物干しラック用接続部材は、接続部１と、パイプ部材３３と、弾性部材３１と、を含む。弾性部材３１は、パイプ部材３３の空洞内に設けられ、パイプ部材３３と接続部１とを固定するために用いられる。
【００１４】
図２および図３に示すように、接続部１は、第１部材８と第２部材９を含む。第１部材８と第２部材９とは垂直に連通している。第１部材８と第２部材９とはいずれもパイプ状であり、第２部材９の側面には貫通孔２５が設けられる。
【００１５】
第１部材８には、第１凹溝２１が設けられている。第１凹溝２１は、第１部材８の軸方向に沿って設けられている。第１凹溝２１は、第１部材８の両側に対称に設けられている。第１凹溝２１は、各片側に２つずつ設けられている。両側の第１凹溝２１の間には、第３凹溝２３が設けられている。第３凹溝２３は、第１部材８の円周方向に沿って設けられている。第３凹溝２３は、第１部材８の一端に設けられている。第３凹溝２３は、４つ設けられている。
【００１６】
第２部材９には、第２凹溝２２が設けられている。第２凹溝２２は、第２部材９の軸方向に沿って設けられている。第２凹溝２２と第１凹溝２１とは円弧を描いて連通している。第２凹溝２２は、第２部材９の両側に対称に設けられている。第２凹溝２２は、各片側に２つずつ設けられている。両側の第２凹溝２２の間には、第４凹溝２４が設けられている。第４凹溝２４は、第２部材９の円周方向に沿って設けられる。第４凹溝２４は、第２部材９の一端に設けられ、かつ、第３凹溝２３と同じ側の第２部材９の側面に位置する。第４凹溝２４は、４つ設けられている。
【００１７】
図４に示すように、弾性部材３１は、弾性部２６と、アーチ部２７と、第１直線部２８と、突起部２９と、第２直線部３０と、を含む。弾性部２６と、アーチ部２７と、第１直線部２８と、突起部２９と、第２直線部３０と、は順に接続されている。第１直線部２８と、突起部２９と、第２直線部３０とは、一つのライン上にある。突起部２９は円弧形であり、第１直線部２８と突起部２９との接続箇所は円弧状である。
【００１８】
パイプ部材３３の側壁には、貫通孔３２が設けられている。貫通孔３２は、弾性部材３１の突起部２９を収容するのに用いられる。
使用時には、弾性部材３１をパイプ部材３３内に設置し、弾性部材３１の突起部２９をパイプ部材３３の貫通孔３２内に設置し、接続部１でパイプ部材３３の外側を覆う。接続部１の貫通孔２５によって、弾性部材３１とパイプ部材３３と接続部１との３つが固定される。
【００１９】
本実施例では、接続部１は三方パイプであるが、必要に応じて、接続部１はストレートパイプまたは四方パイプなど、他のパイプ部材を用いてもよい。
（実施例２）
図５に示すように、物干しラックは、第１横竿１０と、第２横竿１１と、第１支持パイプと、第２支持パイプと、第３支持パイプと、第４支持パイプと、を含む。第１支持パイプは、第１上支持パイプ１２と第１下支持パイプ１２１とを含む。第２支持パイプは、第２上支持パイプ１３と第２下支持パイプ１３１とを含む。第３支持パイプは、第３上支持パイプ１４と第３下支持パイプ１４１とを含む。第４支持パイプは、第４上支持パイプ１６と第４下支持パイプ１６１とを含む。
【００２０】
第１横竿１０と第１上支持パイプ１２との接続箇所、第１横竿１０と第４上支持パイプ１６との接続箇所、第２横竿１１と第２上支持パイプ１３との接続箇所、第２横竿１１と第３上支持パイプ１４との接続箇所には、それぞれ接続部材が設けられる。接続部材の構造は、実施例１で述べたとおりであり、実施例１のパイプ部材３３は、本実施例の第１上支持パイプ１２、第２上支持パイプ１３、第３上支持パイプ１４、あるいは第４上支持パイプ１６のいずれかとすることができる。
【００２１】
弾性部材３１は、それぞれ第１上支持パイプ１２、第４上支持パイプ１６、第２上支持パイプ１３、および第３上支持パイプ１４の上下両端の中空部に設置される。
第１上支持パイプ１２および第４上支持パイプ１６の下端には、それぞれ第１回転ベース２が設けられ、第１回転ベース２の上端と、第１上支持パイプ１２および第４上支持パイプ１６の下端とが、それぞれ弾性部材３１により固定される。第１回転ベース２の下端には、それぞれ第１下支持パイプ１２１と第４下支持パイプ１６１とが接続されている。第１回転ベース２と、第１下支持パイプ１２１および第４下支持パイプ１６１との接続は、弾性部材３１により固定してもよいし、直接スリープ接続してもよい。
【００２２】
第２上支持パイプ１３および第３上支持パイプ１４の下端には、それぞれ第２回転ベース３が設けられ、第２回転ベース３の上端と、第２上支持パイプ１３および第３上支持パイプ１４の下端とが、それぞれ弾性部材３１により固定される。第２回転ベース３の下端にはそれぞれ第２下支持パイプ１３１と第３下支持パイプ１４１とが接続されている。第２回転ベース３と、第２下支持パイプ１３１および第３下支持パイプ１４１との接続は、弾性部材３１により固定してもよいし、直接スリープ接続してもよい。
【００２３】
第１回転ベース２と第２回転ベース３とは、ボルト１８と緩み止めナット１９とにより接続されている。第１回転ベース２と第２回転ベース３とによって、第１支持パイプと第２支持パイプとが、第４支持パイプと第３支持パイプとが、それぞれ固定されている。
【００２４】
第２支持パイプおよび第３支持パイプの間に、タオルラック５がピン２０により接続されている。タオルラック５には、若干数の接続ロッド１５が平行に設けられ、ピン２０から離れた接続ロッド１５にはパイプ１７がスライド可能に接続されている。パイプ１７には、若干数のピンチ６が設けられている。
【００２５】
第１下支持パイプ１２１、第２下支持パイプ１３１、第３下支持パイプ１４１、第４下支持パイプ１６１の端部には、それぞれ脚カバー４が設けられており、第１横竿１０と第２横竿１１の両端には、それぞれエンドキャップ７が設けられている。
【符号の説明】
【００２６】
１          接続部
２          第１回転ベース
３          第２回転ベース
４          脚カバー
５          タオルラック
６          ピンチ
７          エンドキャップ
８          第１部材
９          第２部材
１０        第１横竿
１１        第２横竿
１２        第１上支持パイプ
１２１      第１下支持パイプ
１３        第２上支持パイプ
１３１      第２下支持パイプ
１４        第３上支持パイプ
１４１      第３下支持パイプ
１５        接続ロッド
１６        第４上支持パイプ
１６１      第４下支持パイプ
１７        パイプ
１８        ボルト
１９        緩み止めナット
２０        ピン
２１        第１凹溝
２２        第２凹溝
２３        第３凹溝
２４        第４凹溝
２５        貫通孔
２６        弾性部
２７        アーチ部
２８        第１直線部
２９        突起部
３０        第２直線部
３１        弾性部材
３２        貫通孔
３３        パイプ部材
【図１】
0003213985.tif 000003
【図２】
0003213985.tif 000004
【図３】
0003213985.tif 000005
【図４】
0003213985.tif 000006
【図５】
0003213985.tif 000007